(57)【要約】【課題】使用者が可撓性被覆体を迅速に収納かつ取り出して使用でき、可撓性被覆体を取りだした時収納空間を使用できる、閉じ合わせ式可撓性被覆体収納構造体の提供。【解決手段】辺縁に閉じ合わせ部材１１を設けた前カバーシート１と、辺縁に閉じ合わせ相対部材２１を設けた後ろカバーシート２と、前カバーシート１と後ろカバーシート２を連結する連結部１２と、前カバーシート１、後ろカバーシート２、前カバーシート１と後ろカバーシート２の間、連結部１２のいずれかに設けた第１接合辺１３１と、第２接合辺３３１を有する可撓性被覆体３を備え、第１接合辺１３１と第２接合辺３３１を相互に接合し、前カバーシート１と後ろカバーシート２の間の収納空間３０に折り畳んだ可撓性被覆体３を収納し、閉じ合わせ部材１１と閉じ合わせ相対部材２１を係合して前カバーシート１と後ろカバーシート２を閉じ合わせる。【選択図】図３
0003169606.tif 000002
【実用新案登録請求の範囲】
【請求項１】
閉じ合わせ式可撓性被覆体収納構造体であって、
辺縁に閉じ合わせ部材を設けた前カバーシートと、
辺縁に前記閉じ合わせ部材に相対する閉じ合わせ相対部材を設けた後ろカバーシートと、前記前カバーシートと後ろカバーシートの間に設けられ、両者を連結する連結部と、
前記前カバーシート、前記後ろカバーシート、前カバーシートと後ろカバーシートの間、前記連結部のいずれかに設けた第１接合辺と、
第２接合辺を有するバッグである可撓性被覆体とを備え、前記第１接合辺と前記第２接合辺を相互に接合して前記可撓性被覆体が固定され、
前記前カバーシートと前記後ろカバーシートの間に形成された収納空間に折り畳んだ後の前記可撓性被覆体を収納し、かつ前記閉じ合わせ部材と前記閉じ合わせ相対部材を係合することによって前記前カバーシートと前記後ろカバーシートを閉じ合わせることを特徴とする、閉じ合わせ式可撓性被覆体収納構造体。
【請求項２】
閉じ合わせ式可撓性被覆体収納構造体であって、
辺縁に閉じ合わせ部材を設けた前カバーシートと、
辺縁に前記閉じ合わせ部材に相対する閉じ合わせ相対部材を設けた後ろカバーシートと、前記前カバーシートと後ろカバーシートの間に設けられ、両者を連結する連結部と、
前記前カバーシート、前記後ろカバーシート、前カバーシートと後ろカバーシートの間、前記連結部のいずれかに設けた第１接合辺と、
第２接合辺を有する衣類本体である可撓性被覆体とを備え、前記第１接合辺と前記第２接合辺を相互に接合して前記可撓性被覆体が固定され、
前記前カバーシートと前記後ろカバーシートの間に形成された収納空間に折り畳んだ後の前記可撓性被覆体を収納し、かつ前記閉じ合わせ部材と前記閉じ合わせ相対部材を係合することによって前記前カバーシートと前記後ろカバーシートを閉じ合わせることを特徴とする、閉じ合わせ式可撓性被覆体収納構造体。
【請求項３】
前記第１接合辺を前記前カバーシートに設けたことを特徴とする、請求項１に記載の閉じ合わせ式可撓性被覆体収納構造体。
【請求項４】
前記第１接合辺を前記前カバーシートに設けたことを特徴とする、請求項２に記載の閉じ合わせ式可撓性被覆体収納構造体。
【請求項５】
前記第２接合辺と前記第１接合辺が局部的に接合され、且つ未接合箇所に収納口が形成され、前記可撓性被覆体を展開した状態のとき、前記収納口から前記後ろカバーシートを前記前カバーシートと前記可撓性被覆体の間の収納空間内に収納可能であり、折り畳んだ前記可撓性被覆体を前記収納空間に収納するときは、前記後ろカバーシートを前記収納口から取り出して、前記後ろカバーシートと前記前カバーシートを固定し、前記前カバーシートと前記後ろカバーシートのいずれか一側に小収容部を設け、バッグを形成することを特徴とする、請求項３に記載の閉じ合わせ式可撓性被覆体収納構造体。
【請求項６】
前記第２接合辺と前記第１接合辺が局部的に接合され、且つ未接合箇所に収納口が形成され、前記可撓性被覆体を展開した状態のとき、前記収納口から前記後ろカバーシートを前記前カバーシートと前記可撓性被覆体の間の収納空間内に収納可能であり、折り畳んだ前記可撓性被覆体を前記収納空間に収納するときは、前記後ろカバーシートを前記収納口から取り出して、前記後ろカバーシートと前記前カバーシートを固定し、前記前カバーシートと前記後ろカバーシートのいずれか一側に小収容部を設け、バッグを形成することを特徴とする、請求項４に記載の閉じ合わせ式可撓性被覆体収納構造体。
【請求項７】
前記後ろカバーシートに固定部材を設け、前記可撓性被覆体または前記前カバーシート、あるいは前記小収容部の表面のいずれかに固定相対部材を設け、前記固定部材と前記固定相対部材により前記後ろカバーシートを前記可撓性被覆体または前記前カバーシート、あるいは前記小収容部の表面のいずれかに固定して、前記後ろカバーシートが前記可撓性被覆体の表面で下垂揺動するのを防ぎ、前記固定部材と前記固定相対部材が、スライドファスナー、面ファスナー、スナップボタン、マグネットボタンのいずれかであることを特徴とする、請求項３乃至６のいずれかに記載の閉じ合わせ式可撓性被覆体収納構造体。
【請求項８】
前記第１接合辺に延伸部を設け、前記延伸部により前記第１接合辺が第２接合辺と結合されることを特徴とする、請求項３乃至６のいずれかに記載の閉じ合わせ式可撓性被覆体収納構造体。
【請求項９】
前記前カバーシートと前記閉じ合わせ部材の間にさらに側面周壁部を設け、前記可撓性被覆体がさらに前記側面周壁部に相対する接合部を含むことを特徴とする、請求項３乃至６のいずれかに記載の閉じ合わせ式可撓性被覆体収納構造体。
【請求項１０】
前記第２接合辺が前記第１接合辺に当接されて相互に連接され、これにより前記側面周壁部が前記接合部の外囲を包覆し、前記第２接合辺が前記第１接合辺の上縁に当接されて相互に連接され、前記接合部の環状体を成している上部周壁が前記側面周壁部の上部周壁に当接され、前記接合部の下部周壁と前記側面周壁部の間の当接されていない空間に第１収納部が形成され、前記第１収納部に折り畳んだ後の前記後ろカバーシートを収納することができ、前記接合部の内部収納空間と前カバーシートを結合した後に第２収納部が形成され、且つ前記第２収納部がさらに連通口を含み、前記可撓性被覆体と相互に連通され、折り畳んだ後の前記可撓性被覆体を前記連通口から前記第２収納部内に収納できることを特徴とする、請求項９に記載の閉じ合わせ式可撓性被覆体収納構造体。
【請求項１１】
前記衣類本体がさらに内ストラップを含み、前記内ストラップが前記衣類本体に連接され、かつ前記小収容部と接合されてバッグを形成し、使用者が衣類本体を着用したときに前記バッグの重量を支持できることを特徴とする、請求項６に記載の閉じ合わせ式可撓性被覆体収納構造体。
【請求項１２】
前記第１接合辺と前記第２接合辺に着脱可能に係合する第１接合部材と第２接合部材をそれぞれ設置して、前記衣類本体と前記バッグに着脱自在な機能を提供し、前記第１接合部材と前記第２接合部材がスライドファスナー、スナップボタン、マグネットボタン、面ファスナーのいずれかであることを特徴とする、請求項１１に記載の閉じ合わせ式可撓性被覆体収納構造体。
【請求項１３】
前記衣類本体に少なくとも１つの通孔を設け、前記通孔を前記衣類本体の背面の前記内ストラップ端部と相互に対応する位置に設置し、前記内ストラップを前記衣類本体に設けた前記通孔に穿通して前記前カバーシート上縁に接合したことを特徴とする、請求項１１に記載の閉じ合わせ式可撓性被覆体収納構造体。
【請求項１４】
前記内ストラップが背負い式ショルダーストラップ、または肩掛け式ショルダーストラップであり、その上下両端部が前記衣類本体に設けた複数の前記通孔にそれぞれ穿通され、前記後ろカバーシート外側の上方と下方に連結されたことを特徴とする、請求項１１に記載の閉じ合わせ式可撓性被覆体収納構造体。
【請求項１５】
前記後ろカバーシートに外ストラップを設け、前記外ストラップが背負い式のストラップ２本または肩掛け式のストラップ１本のいずれかであり、その上下両端部が前記後ろカバーシート外側の上方と下方にそれぞれ設置され、前記外ストラップが着脱式または固定結合式で小収容部を形成したバッグと連結されたことを特徴とする、請求項６または１１に記載の閉じ合わせ式可撓性被覆体収納構造体。
【請求項１６】
外ストラップの一端が前記バッグの左右両側にそれぞれ連結され、前記外ストラップの他端に設けたオスバックルとメスバックルを相互に嵌合することにより、使用者の腰部に巻いて固定可能であり、前記外ストラップが着脱式または固定結合式で前記バッグと連結されたことを特徴とする、請求項６に記載の閉じ合わせ式可撓性被覆体収納構造体。
【請求項１７】
前記後ろカバーシートの外側にストラップベルトと調整部材を設置し、前記調整部材により前記ストラップベルトの長さを調整可能とし、外ストラップベルトによりバッグを使用者の腕やベルト上に巻いて固定可能としたことを特徴とする、請求項６に記載の閉じ合わせ式可撓性被覆体収納構造体。
【請求項１８】
前記前カバーシートが衣類本体のポケット表面の位置に固定され、前記後ろカバーシートに第２小収容部が設けられ、前記後ろカバーシートを収納空間に収納した時、第２小収容部が衣類本体のポケット内に位置し、かつ前記ポケットの開口が前記第２小収容部と連通したことを特徴とする、請求項１６または１７に記載の閉じ合わせ式可撓性被覆体収納構造体。
【請求項１９】
前記後ろカバーシートに第１挟み層を設け、且つ前記第１挟み層の両側に左開口部と右開口部を設け、外ストラップ両端を前記左開口部、右開口部から前記第１挟み層に入れることができることを特徴とする、請求項１６に記載の閉じ合わせ式可撓性被覆体収納構造体。
【請求項２０】
前記後ろカバーシートに少なくとも１つの固定部材を設け、衣類本体の相対する側に固定相対部材を設け、且つ前記固定相対部材が衣類本体表面の前記前カバーシートの後ろ側に相対して設けられ、前記後ろカバーシートが前記収納空間から収納口の外に落下しないよう前記固定部材と前記固定相対部材により前記後ろカバーシートを収納空間内に固定可能であり、前記固定部材と前記固定相対部材がスライドファスナー、面ファスナー、スナップボタン、マグネットボタンのいずれかであることを特徴とする、請求項６に記載の閉じ合わせ式可撓性被覆体収納構造体。
【請求項２１】
前記連結部に少なくとも１つの封鎖部材を設け、収納口を挟んで封鎖部材と対向して封鎖相対部材を設け、後ろカバーシートが収納空間から収納口の外に落下しないよう、封鎖相対部材と封鎖部材とを係合することにより収納口を封鎖可能であり、前記封鎖部材と封鎖相対部材がスライドファスナー、面ファスナー、スナップボタン、マグネットボタンのいずれか１つであることを特徴とする、請求項６に記載の閉じ合わせ式可撓性被覆体収納構造体。
【請求項２２】
前記前カバーシートと前記後ろカバーシートの両者がいずれも半円形で相互に対応する内凹カバー体であり、使用者が頭上に被ることができる帽子構造を形成し、前記前カバーシートを前記後ろカバーシートより大きくして、前カバーシート全体で後ろカバーシートの外部を被覆可能とし、前記前カバーシートと前記後ろカバーシートの間に収納空間が形成され、可撓性被覆体を前記収納空間内に収納可能としたことを特徴とする、請求項４に記載の閉じ合わせ式可撓性被覆体収納構造体。
【請求項２３】
前記前カバーシートの辺縁に第１環状辺が設けられ、且つ前記第１環状辺に閉じ合わせ部材が設置され、前記後ろカバーシートの辺縁に、第１環状辺と対応する第２環状辺が設けられ、前記第２環状辺に前記閉じ合わせ部材と互いに着脱可能に係合する閉じ合わせ相対部材が設けられ、前記前カバーシートと後ろカバーシートの下方の相対する位置に、前記前カバーシートと後ろカバーシートを連結する連結部が設置されたことを特徴とする、請求項２２に記載の閉じ合わせ式可撓性被覆体収納構造体。
【請求項２４】
前記前カバーシート左右両側において、使用者の耳に相当する位置に一対のオスベルトとメスベルトを設け、かつ前記オスベルトとメスベルトの先端にそれぞれオスバックルとメスバックルを設置したことを特徴とする、請求項２２に記載の閉じ合わせ式可撓性被覆体収納構造体。
【請求項２５】
前記前カバーシート後ろ側を使用者の頚部近くの位置まで延伸し、且つ前カバーシートを延伸した底部の位置に下連結部と下カバーシートを設け、前記下連結部と前記下カバーシートを連結することにより、収納空間内に可撓性被覆体を出し入れできるよう、前記下カバーシートを上下に開閉可能とし、前記下カバーシートの辺縁に下環状辺を設けると共に、前記下環状辺に下閉じ合わせ部材を設け、前記前カバーシート後ろ側の辺縁に、前記下環状辺と相互に対応する第３環状辺を設け、前記第３環状辺に、前記前記下環状辺の下閉じ合わせ部材と着脱自在に係合する下閉じ合わせ相対部材を設け、前記下閉じ合わせ部材と前記下閉じ合わせ相対部材を係合することにより、前記下カバーシートを位置決めし、且つ前記前カバーシート内の後ろ側に閉じ合わせることができることを特徴とする、請求項２２に記載の閉じ合わせ式可撓性被覆体収納構造体。
【請求項２６】
前記前カバーシートの下方と後ろカバーシートの間に設置された連結部に、前記前カバーシートと後ろカバーシートの距離を延ばすための延伸ベルトを設置したことを特徴とする、請求項２２または２５に記載の閉じ合わせ式可撓性被覆体収納構造体。
【請求項２７】
前記前カバーシートまたは後ろカバーシートいずれか一方の左右両側にオスバックルとメスバックルをそれぞれ連結し、前記オスバックルと前記メスバックルを相互に固定して前記前カバーシート、前記後ろカバーシートを対象物に装着して固定可能とし、前記前カバーシートと後ろカバーシートの前方に環状ベルトと調整部材を設け、前記調整部材により前記環状ベルトの大きさを調整し、前記環状ベルトを対象物に装着可能としたことを特徴とする、請求項６または８に記載の閉じ合わせ式可撓性被覆体収納構造体。
【考案の詳細な説明】
【技術分野】
【０００１】
本考案は、バッグ類または衣類等の可撓性被覆体を迅速に収納かつ取り出して使用できる、閉じ合わせ式可撓性被覆体収納構造体に関する。
【背景技術】
【０００２】
現代のように高度に発展した商工業社会では、いかにより簡便で軽い方法で各種携帯物品を持ち運ぶかというニーズが高まっている。例えば、ビニル袋の使用を減少するという環境保護目的のため、買い物時にはエコバッグを持参したり、また気温の変化や雨に備えて防寒や雨避け目的で薄い上着やレインコートなど各種衣類を携帯したりする。しかしながら、現在市販されている折り畳んで収納可能なエコバッグ、薄い上着、レインコート、各種衣類などの携帯用品は、簡便、迅速に収納し、かつ取り出して使用することができず、しかも携帯用品を収納するという単一の収納機能しかなく、同時に他の物品を収納する複合的機能や面白みのある外観の変化を施したものはない。
【０００３】
現在市販されているエコバッグまたは携帯用の薄い上着あるいはレインコートを例とすると、ほとんどが巻き取り収納方式を採用している。
図１には、常用されているエコバッグを展開した状態の外観図を示す。このエコバッグは、バッグ本体３、ハンドル３１、フラップ３００、オス留め具３０４、メス留め具３０５を備える。フラップ３００はさらに固定端３０２と開放端３０３を有する。フラップ３００は固定端３０２がバッグ本体３の外側に固定されており、オス留め具３０４が開放端３０３の適切な位置に設置され、メス留め具３０５が適切な距離でオス留め具３０４の上方の対応する位置に設置される。
図２に、このエコバッグを巻き取り収納した状態の外観図を示す。収納時は、まずバッグ本体３をフラップ３００とほぼ等しい幅の大きさに折り畳み、ハンドル３１も一緒にフラップ３００開放端３０３の下方に巻き取り、バッグ本体３をフラップ３００の大きさの体積に巻き取った後、開放端３０３に設けられたオス留め具３０４とメス留め具３０５を留めて固定し、バッグ本体３を巻き取り後フラップ３００の下方に固定することができる。
【０００４】
前述のエコバッグのほか、現在市販されている携帯式の薄い上着やレインコート（図示しない）の収納構造もほとんどが類似の巻き取り方式を採用しており、単一の機能しかなく、巻き取り後に体積を減少できるだけで、その他の機能は提供されておらず、使用者に便利で複合的な多機能性を提供するという目的を達することはできず、理想的ではない。
【考案の概要】
【考案が解決しようとする課題】
【０００５】
本考案の第１の目的は、使用者がバッグ類または衣類等の可撓性被覆体を迅速に収納かつ取り出して使用でき、可撓性被覆体を取りだして展開状態では収納空間を使用できる、閉じ合わせ式可撓性被覆体収納構造体を提供することにある。
【０００６】
本考案の第２の目的は、前カバーシートの外側、後ろカバーシートの内側または外側のいずれかにさらに小収容部を設け、それにより可撓性被覆体を収納する以外の付加的な物品収容機能を備えた、閉じ合わせ式可撓性被覆体収納構造体を提供することにある。小収容部を備えた収納構造体はその側面周壁部にさらにループ及びストラップを設け、使用者が必要に応じて背負う機能を備えたバッグとして使用することができる。
【０００７】
本考案の第３の目的は、第２接合辺と前記第１接合辺を局部的に接合して、未接合箇所に収納口を形成し、展開した可撓性被覆体を取り出して使用するときは、収納口から開いた後の後ろカバーシートを前カバーシートと可撓性被覆体の間の収納空間内に配置することができる、閉じ合わせ式可撓性被覆体収納構造体を提供することにある。
【０００８】
本考案の第４の目的は、前カバーシートと閉じ合わせ部材の間に側面周壁部を設け、且つ前記可撓性被覆体に相対する側面周壁部と連接される接合部を設け、前記接合部は概ね環状体であり、その円の直径は前記側面周壁部の円の直径よりやや小さく、且つその内部に収納空間が形成され、前記側面周壁部は前記接合部を包覆してその外囲に重ねられ、接合部の環状体を成している上部が前記側面周壁部の上部に当接され、前記接合部の下部と前記側面周壁部の間の当接されていない空間に第１収納部が形成され、ここから折り畳んだ後の後ろカバーシートを収納することができ、さらに前記接合部の環状体を成した内部収納空間と前カバーシートを結合させた後第２収納部が形成され、且つ前記第２収納部が可撓性被覆体と相互に連通された連通口を備え、これにより折り畳んだ後の可撓性被覆体を前記連通口から第２収納部内に収納することができる、閉じ合わせ式可撓性被覆体収納構造体を提供することにある。
【０００９】
本考案の第５の目的は、可撓性被覆体収納構造体をバッグの構造に応用し、延伸部の延伸機能で小収容部を延伸させて可撓性被覆体内の底部に配置し、そのうち、前記延伸部の一端が第２連接辺に連接され、他端が第１連接辺に連接されるため、小収容部の内部に物品を入れたために重くなりすぎたとき、前記延伸部から小収容部を可撓性被覆体内の底部に延伸して配置することができ、開口に連接された小収容部が重すぎて開口が下垂し、変形を生じるということがない、閉じ合わせ式可撓性被覆体収納構造体を提供することにある。
【００１０】
本考案の第６の目的は、本考案の可撓性被覆体構造を衣類本体とし、背負ったり、肩掛けにしたり、横方向に使用者の腰部に係合させたりするバッグの構造を組み合わせ、前カバーシートの外側、後ろカバーシートの内側または外側のいずれかにさらに小収容部を設け、これにより衣類本体を収納する以外の付加的な物品収容機能を提供すると共に、前記小収容部を設けた収納構造体の側辺または後辺に外ストラップを設けて使用者が便利に肩掛け式ショルダーバッグやリュックサックまたはウエストバッグとして使用することができ、衣類本体を収納した状態下で、後ろカバーシートに設けた外ストラップでバッグ本体と収納空間に収納した後の衣類本体を便利に携帯することができる、閉じ合わせ式可撓性被覆体収納構造体を提供することにある。
【００１１】
本考案の第７の目的は、可撓性被覆体構造を衣類とし、バッグの構造を組み合わせ、前記衣類本体にさらに複数の通孔を開設して内ストラップ（肩掛け式ショルダーストラップ１本または背負い式ショルダーストラップ２本のいずれか）の複数の端を衣類本体に設けた複数の通孔に穿通させてバッグと接合し、さらに前記第１接合辺と相対する第２接合辺を相互に接合して前カバーシートと衣類本体を固定し、そのうち、内ストラップ上端部及び下端部をそれぞれ衣類本体に設けた複数の通孔に穿通させた後、前カバーシートの上縁及び下縁と連接し、使用者が衣類本体を着用したときにバッグの重量を支持することができる、閉じ合わせ式可撓性被覆体収納構造体を提供することにある。
【００１２】
本考案の第８の目的は、可撓性被覆体構造を衣類本体とし、バッグの構造を組み合わせ、前記前カバーシートと後ろカバーシートの間にカバー体を設け、前記カバー体の一側に連接側を設け、前記連接側によりバッグを連接することができ、前記連接側はカバー体の上縁に設けられ、前カバーシートの上縁、または第１接合辺と相互に連接され、且つ前記カバー体にはさらに被着部材が設置され、前記被着部材はカバー体を上から下にバッグの外囲に被せて固定し、バッグの雨避け機能を達することができる、閉じ合わせ式可撓性被覆体収納構造体を提供することにある。
【００１３】
本考案の第９の目的は、可撓性被覆体構造を衣類本体とし、バッグの構造を組み合わせ、前記衣類本体とバッグを固定方式または着脱自在な方式で連接し、固定方式は第１接合辺と第２接合辺を接着、ホットプレス、縫着等の方式で連接し、着脱自在な方式は第１接合辺と第２接合辺に可動式の第１接合部材と第２接合部材（例えばファスナー、ボタン、面ファスナーなど）をそれぞれ設置して連接するものとし、これにより衣類本体とバッグの着脱機能を提供し、衣類本体とバッグのいずれかが破損したり、汚れたりしたときそれを取り外して交換した上で使用することができる、閉じ合わせ式可撓性被覆体収納構造体を提供することにある。
【００１４】
本考案の第１０の目的は、可撓性被覆体構造を衣類本体とバッグを組み合わせた構造に応用し、そのうち後ろカバーシートに第２小収容部が設けられ、前記後ろカバーシートと第２小収容部の収納方式は前記収納口または収納部により後ろカバーシートを前カバーシートと衣類本体間、またはその中の収納空間内に入れ、且つ収納後の第２小収容部が衣類本体のポケット内に位置し、前記ポケットにポケット層が設けられ、且つ第２小収容部が前記ポケット層上方に位置し、前記ポケットと第２小収容部が相通しているため、使用者が衣類本体を着用しているとき便利に手をポケットの開口に入れてポケット内から元々バッグの第２小収容部内に入れられていた物品（たとえば財布や携帯電話等任意の身の回りの物品）を取り出すことができる、可撓性被覆体収納構造体を提供することにある。
【００１５】
本考案の第１１の目的は、可撓性被覆体を帽子構造に応用し、そのうち、前カバーシートの体積が後ろカバーシートよりやや大きく、且つ両者がいずれも半円形で相互に対応する内凹カバー体を呈し、連結部により相互が連結され、前カバーシート全体を後ろカバーシート外部に被せることができ、且つ両者の間に収納空間が形成され、可撓性被覆体（レインコート）を使用しないときこの帽子構造の収納空間内に入れ、平時は一般外出時の日除けや保温に用いることができ、降雨時は可撓性被覆体（レインコート）を前記収納空間から取り出して使用することができる、可撓性被覆体収納構造体を提供することにある。
【００１６】
本考案の第１２の目的は、可撓性被覆体を装着しようとする対象物（ペットを含む）の衣類（例えば犬用レインコートや保温用衣類等）に応用し、そのうち、前カバーシート左右両側にオスバックルとメスバックルをそれぞれ連結し、着用時は前カバーシートを下、後ろカバーシートを上にした方向で対象物（ペット）の体に合わせ、且つオスバックルとメスバックルを相互に固定して前カバーシートと後ろカバーシートを対象物（ペット）の体に装着して固定し、可撓性被覆体（衣類本体）を使用したいときは、閉じ合わせ部材と閉じ合わせ相対部材により後ろカバーシートを開き、且つ可撓性被覆体（衣類本体）を取り出して展開し、ペットの体を被覆すると同時に、後ろカバーシートを収納口から入れて、後ろカバーシートを前カバーシートと可撓性被覆体（衣類本体）の間の収納空間に収納し、さらに前方に環状ベルトが設けられ、その上方と前カバーシート、後ろカバーシート前方の連結箇所に固定リングが設置され、これにより使用者はフックリングを備えたリードを前記固定リングに取り付けて対象物（ペット）を地面で歩かせることができる、可撓性被覆体収納構造体を提供することにある。本実施例の構造は各種バッグ、日常用品、人（乳児）または各種動物を含む任意の対象物に用いることもできる。
【００１７】
本考案の第１３の目的は、可撓性被覆体を対象物（ペット）携帯用の収納構造に応用し、主に延伸部により可撓性被覆体（バッグ）を折りたたんだ後前カバーシートと後ろカバーシートの間に収納でき、着用時は、後ろカバーシートを下、前カバーシートを上にした方向でペットの体に合わせ、オスバックルとメスバックルを相互に固定して前カバーシート、後ろカバーシートを対象物（ペット）の体に装着して固定し、使用時は、閉じ合わせ部材と閉じ合わせ相対部材により前カバーシートを開き、可撓性被覆体（バッグ）を前カバーシート、後ろカバーシートの間から取り出して展開し、下から上に対象物（ペット）を開口部から可撓性被覆体（バッグ）内に入れ、ハンドルにより対象物（ペット）を入れた可撓性被覆体（バッグ）を手に提げて、または肩にかけて携帯することができ、さらに前方に環状ベルトが設けられ、その上方と前カバーシート、後ろカバーシート前方の連結箇所に固定リングが設置され、これにより使用者がフックリングを備えたリードを前記固定リングに取り付けることができ、使用者は可撓性被覆体（バッグ）を前カバーシート、後ろカバーシートの間に収納し、リードを前記固定リングに取り付けて対象物（ペット）を地面で歩かせたり、前カバーシートを開いて、対象物（ペット）を展開後の可撓性被覆体（バッグ）内に入れた後、ハンドルを利用して対象物（ペット）を入れた可撓性被覆体（バッグ）を手に提げたり、肩に掛けたりして携帯することを選択できる、可撓性被覆体収納構造体を提供することにある。本実施例の構造は各種バッグ、日常用品、人（乳児）または各種動物を含む任意の対象物に用いることもできる。
【００１８】
本考案の第１４の目的は、前カバーシートの外側及び可撓性被覆体の外側にさらに相互に対応する模様や図案のデザインを配し、その美観を高めたり、相互に対応させたりするなど異なる視覚的効果と変化を生み出すことができ、小収容部を単独使用するときは、前カバーシートと小収容部に局部的な図案または模様のデザインが現れるようにすることができ、可撓性被覆体を展開した状態下で、前カバーシートと小収容部に可撓性被覆体と相互に対応する図案または模様を配してその美観や面白みを高めたり、相互に対応させたりするなど異なる視覚的効果を形成することができる、閉じ合わせ式可撓性被覆体収納構造体を提供することにある。
【課題を解決するための手段】
【００１９】
本考案の閉じ合わせ式可撓性被覆体収納構造体は、辺縁に閉じ合わせ部材を設けた前カバーシートと、辺縁に閉じ合わせ相対部材を設けた後ろカバーシートと、前カバーシートと後ろカバーシートの間に設けられ、両者を連結する連結部と、前カバーシート、後ろカバーシート、前カバーシートと後ろカバーシートの間、連結部のいずれかに設けた第１接合辺と、第２接合辺を有する可撓性被覆体とを備え、第１接合辺と前記第２接合辺を相互に接合して可撓性被覆体が固定され、前カバーシートと後ろカバーシートの間に形成された収納空間に折り畳んだ可撓性被覆体を収納し、閉じ合わせ部材と閉じ合わせ相対部材を係合することによって前カバーシートと後ろカバーシートを閉じ合わせる。
【考案の効果】
【００２０】
本考案によれば、閉じ合わせ部材と閉じ合わせ相対部材を着脱することによって、可撓性被覆体を簡単に収納空間に出し入れすることができて、携帯に便利であり、収納空間を可撓性被覆体以外の収納にも使用でき、多くの機能を持たせて多用途に応用できる。
【図面の簡単な説明】
【００２１】
【図１】従来の買い物袋の展開状態における斜視図である。
【図２】従来の買い物袋の巻き取り状態における斜視図である。
【図３】実施例１を示す閉じ合わせ式可撓性被覆体収納構造体の分解斜視図である。
【図４】実施例１を示す閉じ合わせ式可撓性被覆体収納構造体の可撓性被覆体収納状態における斜視図である。
【図５】実施例１を示す閉じ合わせ式可撓性被覆体収納構造体の可撓性被覆体展開状態における斜視図である。
【図６】実施例１を示す閉じ合わせ式可撓性被覆体収納構造体の可撓性被覆体収納状態における断面図である。
【図７】実施例１を示す閉じ合わせ式可撓性被覆体収納構造体の可撓性被覆体展開手順の第一段階における断面図である。
【図８】実施例１を示す閉じ合わせ式可撓性被覆体収納構造体の可撓性被覆体展開手順の第二段階における断面図である。
【図９】実施例１を示す閉じ合わせ式可撓性被覆体収納構造体の可撓性被覆体展開手順の第三段階における断面図である。
【図１０】実施例２を示す閉じ合わせ式可撓性被覆体収納構造体の分解斜視図である。
【図１１】実施例２を示す閉じ合わせ式可撓性被覆体収納構造体の可撓性被覆体収納状態における斜視図である。
【図１２】実施例２を示す閉じ合わせ式可撓性被覆体収納構造体の展開状態における斜視図である。
【図１３】実施例２を示す閉じ合わせ式可撓性被覆体収納構造体の展開途中における要部斜視図である。
【図１４】実施例２を示す閉じ合わせ式可撓性被覆体収納構造体の展開状態における要部斜視図である。
【図１５】実施例１を示す閉じ合わせ式可撓性被覆体収納構造体の可撓性被覆体収納状態における断面図である。
【図１６】実施例１を示す閉じ合わせ式可撓性被覆体収納構造体の可撓性被覆体展開手順の第一段階における断面図である。
【図１７】実施例１を示す閉じ合わせ式可撓性被覆体収納構造体の可撓性被覆体展開手順の第二段階における断面図である。
【図１８】実施例１を示す閉じ合わせ式可撓性被覆体収納構造体の可撓性被覆体展開手順の第三段階における断面図である。
【図１９】実施例２を示す閉じ合わせ式可撓性被覆体収納構造体の可撓性被覆体収納手順の第一段階における平面図である。
【図２０】実施例２を示す閉じ合わせ式可撓性被覆体収納構造体の可撓性被覆体収納手順の第二段階における平面図である。
【図２１】実施例２を示す閉じ合わせ式可撓性被覆体収納構造体の可撓性被覆体収納手順の第三段階における平面図である。
【図２２】実施例２を示す閉じ合わせ式可撓性被覆体収納構造体の可撓性被覆体収納手順の第四段階における平面図である。
【図２３】実施例２を示す閉じ合わせ式可撓性被覆体収納構造体の可撓性被覆体収納手順の第五段階における平面図である。
【図２４】実施例３を示す閉じ合わせ式可撓性被覆体収納構造体の分解斜視図である。
【図２５】実施例３を示す閉じ合わせ式可撓性被覆体収納構造体の可撓性被覆体収納状態における斜視図である。
【図２６】実施例３を示す閉じ合わせ式可撓性被覆体収納構造体の可撓性被覆体収納途中における斜視図である。
【図２７】実施例３を示す閉じ合わせ式可撓性被覆体収納構造体の可撓性被覆体展開状態における斜視図である。
【図２８】実施例３を示す閉じ合わせ式可撓性被覆体収納構造体の可撓性被覆体展開手順の第一段階における斜視図である。
【図２９】実施例３を示す閉じ合わせ式可撓性被覆体収納構造体の可撓性被覆体展開手順の第二段階における斜視図である。
【図３０】実施例３を示す閉じ合わせ式可撓性被覆体収納構造体の可撓性被覆体展開手順の第三段階における斜視図である。
【図３１】実施例３を示す閉じ合わせ式可撓性被覆体収納構造体の可撓性被覆体展開手順の第四段階における斜視図である。
【図３２】実施例４を示す閉じ合わせ式可撓性被覆体収納構造体の展開途中における斜視図である。
【図３３】実施例４を示す閉じ合わせ式可撓性被覆体収納構造体の展開状態における斜視図である。
【図３４】実施例５を示す閉じ合わせ式可撓性被覆体収納構造体の可撓性被覆体を一部展開した斜視図である。
【図３５】実施例５を示す閉じ合わせ式可撓性被覆体収納構造体の可撓性被覆体展開状態における正面図である。
【図３６】実施例５を示す閉じ合わせ式可撓性被覆体収納構造体の要部正面図である。
【図３７】実施例５を示す閉じ合わせ式可撓性被覆体収納構造体の可撓性被覆体展開状態における要部正面図である。
【図３８】実施例５を示す閉じ合わせ式可撓性被覆体収納構造体の可撓性被覆体収納途中における斜視図である。
【図３９】実施例５を示す閉じ合わせ式可撓性被覆体収納構造体の可撓性被覆体収納時の斜視図である。
【図４０】実施例５を示す閉じ合わせ式可撓性被覆体収納構造体の分解斜視図である。
【図４１】実施例６を示す閉じ合わせ式可撓性被覆体収納構造体の要部正面図である。
【図４２】実施例６を示す閉じ合わせ式可撓性被覆体収納構造体の可撓性被覆体展開状態における正面図である。
【図４３】実施例６を示す閉じ合わせ式可撓性被覆体収納構造体の可撓性被覆体展開状態における要部正面図である。
【図４４】実施例６を示す閉じ合わせ式可撓性被覆体収納構造体の物品取りだし時における要部正面図である。
【図４５】実施例７を示す閉じ合わせ式可撓性被覆体収納構造体の正面図である。
【図４６】実施例７を示す閉じ合わせ式可撓性被覆体収納構造体の断面図である。
【図４７】実施例８を示す閉じ合わせ式可撓性被覆体収納構造体の斜視図である。
【図４８】実施例８を示す閉じ合わせ式可撓性被覆体収納構造体の斜視図である。
【図４９】実施例８を示す閉じ合わせ式可撓性被覆体収納構造体の斜視図である。
【図５０】実施例８を示す閉じ合わせ式可撓性被覆体収納構造体の断面図である。
【図５１】実施例８を示す閉じ合わせ式可撓性被覆体収納構造体の可撓性被覆体展開状態における斜視図である。
【図５２】実施例８を示す閉じ合わせ式可撓性被覆体収納構造体の分解斜視図である。
【図５３】実施例９を示す閉じ合わせ式可撓性被覆体収納構造体の斜視図である。
【図５４】実施例８を示す閉じ合わせ式可撓性被覆体収納構造体の可撓性被覆体展開時の斜視図である。
【図５５】実施例９を示す閉じ合わせ式可撓性被覆体収納構造体の可撓性被覆体装着時の斜視図である。
【図５６】実施例１０を示す閉じ合わせ式可撓性被覆体収納構造体の可撓性被覆体収納時の斜視図である。
【図５７】実施例１０を示す閉じ合わせ式可撓性被覆体収納構造体の可撓性被覆体展開時の斜視図である。
【図５８】実施例１０を示す閉じ合わせ式可撓性被覆体収納構造体の分解斜視図である。
【考案を実施するための形態】
【００２２】
以下、本考案の実施例を図面に基づいて詳細に説明する。
図１〜図９は本考案の実施例１を示す。
図３、図４及び図５に示すように、本考案の閉じ合わせ式可撓性被覆体収納構造体は、前カバーシート１、後ろカバーシート２、連結部１２、及び、可撓性被覆体３を備える。
前カバーシート１の辺縁には、第１接合辺１３１と閉じ合わせ部材１１が設けられる。第１接合辺１３１は、後ろカバーシート２、前カバーシート１と後ろカバーシート２の間、連結部１２のいずれかに設けることもできる。
【００２３】
後ろカバーシート２の辺縁には、閉じ合わせ部材１１と相互に対応する閉じ合わせ相対部材２１が設けられる。閉じ合わせ部材１１と閉じ合わせ相対部材２１はスライドファスナーとし、且つ第１引手１１０を有する。
連結部１２は、前カバーシート１の下方と後ろカバーシート２の上方の相対する位置に設置され、連結部１２によって前カバーシート１と後ろカバーシート２が連結される。連結部１２は前カバーシート１の上方と後ろカバーシート２の上方の相対する位置に設けることもできる。
可撓性被覆体３には第２接合辺３３１が設けられ、この第２接合辺３３１が前カバーシート１に設けられた第１接合辺１３１と相互に接合されて、前カバーシート１が可撓性被覆体３の表面に固定される。
【００２４】
前カバーシート１の外側に、さらに小収容部４が設けられ、これにより可撓性被覆体３を収納する以外の別の付加的な物品収容機能を提供することができる。
小収容部４は、開閉部材４１と開閉相対部材４２が設けられ、使用者が随時開閉して小収容部４内の物品を出し入れすることができる。開閉部材４１及び開閉相対部材４２は、ファスナー、面ファスナー、スナップボタン、マグネットボタンのいずれかとすることができる。
【００２５】
小収容部４は、前カバーシート１の外側に設けることができるだけでなく、後ろカバーシート２の内側（実施例２の図２０〜図２３を参照）または外側（図示しない）にも小収容部４を設け、バッグ１０を形成することができ、その構造の変化はほとんど同じであるため、ここでは説明を省略する。
また、後ろカバーシート２ と可撓性被覆体３の対向する側にそれぞれ固定部材２２と固定相対部材３２を設置することができ、これにより後ろカバーシート２を可撓性被覆体３の表面に固定し、後ろカバーシート２が可撓性被覆体３の表面で垂下して揺動することがないようにする。
固定部材２２と固定相対部材３２はスライドファスナー、面ファスナー、スナップボタン、マグネットボタンのいずれかとすることができる。スライドファスナーを用いる場合、ツーウェイジッパーを用いて開いた後の後ろカバーシート２を前カバーシート１または小収容部４の外側表面に固定できるようにする（図示しない）。
【００２６】
なお、固定相対部材３２を小収容部４の外側表面に設け、後ろカバーシート２に設けた固定部材２２の位置と相互に対応させ、固定部材２２と固定相対部材３２を係合することにより、開いた後の後ろカバーシート２を小収容部４の外側表面に固定することができる（図５参照）。
また、小収容部４を設けずに、固定相対部材３２を前カバーシート１の外側表面に直接設置し、後ろカバーシート２を開いた後に後ろカバーシート２に設置された固定部材２２の位置を合わせ、前カバーシート１に設置された固定相対部材３２に固定し（図示しない）、後ろカバーシート２が可撓性被覆体３の表面で下垂して揺動することがないようにすることもできる。
【００２７】
以上をまとめると、後ろカバーシート２に設けた固定部材２２は、可撓性被覆体３または前カバーシート１、あるいは小収容部４表面のいずれかに設けた固定相対部材３２に対応し、固定部材２２と固定相対部材３２によって後ろカバーシート２を可撓性被覆体３または前カバーシート１あるいは小収容部４のいずれかに固定して、後ろカバーシート２が可撓性被覆体３の表面で下垂して揺動することがないようにする。
【００２８】
図６から図９に示すように、第２接合辺３３１と前記第１接合辺１３１は局部接合方式を採用しており、且つ未接合箇所に収納口３０１を形成しているため、展開した可撓性被覆体３を取り出して使用するときは、収納口３０１から後ろカバーシート２を前カバーシート１と可撓性被覆体３の間の収納空間３０内に配置することができる。
反対に、折り畳んだ後の可撓性被覆体３を収納するときは、後ろカバーシート２を収納口３０１から取り出し、第１引手１１０をスライドさせて後ろカバーシート２と前カバーシート１を固定することができる。
また、前カバーシート１と可撓性被覆体３をしっかりと接合し、且つ収納口３０１に収納した後ろカバーシート２が収納空間３０内に収まって収納口３０１の外に出てくることがないようにするため、第１接合辺１３１と第２接合辺３３１の局部の相互に接合される長さを少なくとも前カバーシート１の円全体の直径長さの２分の１以上とするのが望ましい。
【００２９】
図１０〜図２３は、本考案の実施例２を示す。
図１０、図１１、及び、図１２に示すように、実施例２では、実施例１に含まれる構成部材のほか、前カバーシート１と閉じ合わせ部材１１の間にさらに側面周壁部１３が設けられ、且つ可撓性被覆体３に側面周壁部１３と対応する接合部３３が設けられる。接合部３３は概ね環状体をなしており、その円の直径は側面周壁部１３の円の直径より若干小さく、且つその内部に収納空間３０が形成される。
第２接合辺３３１は第１接合辺１３１と突合せられて相互に連接され、これにより側面周壁部１３が接合部３３の外囲に重ね合わされ、それを包覆する。
【００３０】
側面周壁部１３の外面には、一対のループ１５と、両端をループ１５に取り付けた外ストラップ１６を設け、使用者が物品を携帯するときにショルダーバッグとして使用することができるようになっている。
また、本実施例の小収容部４には、実施例１と同様に、開閉部材４１と開閉相対部材４２が設けられ、使用者が随時小収容部４を開閉して内部の物品を出し入れすることができる。開閉部材４１と開閉相対部材４２はスライドファスナー、面ファスナー、スナップボタン、マグネットボタンのいずれかとすることができる。
【００３１】
図１３〜図１８に示すように、第２接合辺３３１が第１接合辺１３１の上縁に突き当たって相互に連接されるため、接合部３３の環状体を成した周壁が側面周壁部１３の上部周壁に当接され、接合部３３の下部周壁と側面周壁部１３の間の当接されていない空間に第１収納部１４が形成される。第１収納部１４には、折り畳んだ後ろカバーシート２を収納することができる（接合部３３の環状体を成した周壁の任意の部分を側面周壁部１３の周壁の任意の部分に当接させ、当接されていない空間に第１収納部１４を形成することができる）。
【００３２】
さらに、接合部３３の環状体を成した内部の収納空間３０と前カバーシート１を結合すると、第２収納部３５が形成され、第２収納部３５は連通口３４を介して可撓性被覆体３の内部と相互に連通している。これにより、折り畳んだ後の可撓性被覆体３を連通口３４から第２収納部３５内に収納することができる。
後ろカバーシート２には、第１収納部１４下方の位置に固定部材２２が設けられ、接合部３３の下方の相対する位置に固定相対部材３２が設けられ、固定部材２２と固定相対部材３２とを係合することにより、折り畳んだ後ろカバーシート２を第１収納部１４に収納して固定することができる。固定部材２２と固定相対部材３２は面ファスナーまたはスナップボタンのいずれかとすることができる。
【００３３】
図１９〜図２３に示すように、使用者が可撓性被覆体３を折り畳んで第２収納部３５（図２０）内に収納したいときは、まず小収容部４と前カバーシート１外側を下に向けて置くと、可撓性被覆体３と後ろカバーシート２が上になる。次いで、後ろカバーシート２を開いてから、可撓性被覆体３の大きさを前カバーシート１と後ろカバーシート２の間の収納空間３０の範囲内まで外側から内側に向かって折り畳み、可撓性被覆体３を第２収納部３５の中に収納した後、後ろカバーシート２と前カバーシート１を相互に閉じ合わせ、閉じ合わせ部材１１と閉じ合わせ相対部材２１で両者を封鎖する。
小収容部４は、前カバーシート１の外側に設けることができるだけでなく、後ろカバーシート２の内側または外側（図示しない）にも小収容部４を設けることができ、且つ小収容部４には開閉部材４１と開閉相対部材４２を設け、使用者が随時開閉し、小収容部４内の物品を便利に出し入れすることができる。
【００３４】
図２４〜図３１は、本考案の実施例３を示す。
本考案の収納構造体はエコバッグやその他バッグ類の可撓性被覆体だけでなく、各種衣類製品に応用した実施例も可能であり、例えばスポーツシャツや上着等の衣類に応用することもできる。
図２４に、可撓性被覆体３（衣類本体）にバッグ１０を組み合わせた実施例３を示す。本実施例の閉じ合わせ式可撓性被覆体収納構造体は、背負い式のバッグ１０（通称リュックサック）と、前カバーシート１と後ろカバーシート２、連結部１２、外ストラップ１６、可撓性被覆体３（衣類本体）を備える。
【００３５】
前カバーシート１の辺縁に第１接合辺１３１と閉じ合わせ部材１１が設けられる。第１接合辺１３１はバッグ１０と可撓性被覆体３（衣類本体）が相互に対応する面に設けられ、図に示すように前カバーシート１の辺縁に設置される。
後ろカバーシート２の辺縁には閉じ合わせ部材１１に対応して着脱可能に係合する閉じ合わせ相対部材２１が設けられる。閉じ合わせ部材１１と閉じ合わせ相対部材２１はスライドファスナーとすることができる。
【００３６】
連結部１２は、前カバーシート１と後ろカバーシート２の側辺の間の相対する位置に設けられて両者を連結する。
可撓性被覆体（衣類本体）３は、第２接合辺３３１及び内ストラップ６を備える。第２接合辺３３１は前カバーシート１の第１接合辺１３１に相対して設けられ、第１接合辺１３１と第２接合辺３３１を相互に接合して、前カバーシート１が可撓性被覆体３（衣類本体）背面の位置に固定される。
【００３７】
可撓性被覆体３（衣類本体）とバッグ１０は、第１接合辺１３１と第２接合辺３３１の固定接合（例えば接着、ホットプレス、縫着等）を採用できるほか、第１接合辺１３１と第２接合辺３３１にそれぞれ着脱可能な第１接合部材１３０と第２接合部材３３０（例えばスライドファスナー、スナップボタン、マグネットボタン、面ファスナー等）を設け、これにより可撓性被覆体３（衣類本体）とバッグ１０を着脱自在とし、可撓性被覆体３（衣類本体）とバッグ１０のいずれか一方が破損したり汚れたりしたとき取り外して交換できるようにしてもよい。
【００３８】
可撓性被覆体３（衣類本体）にはさらに複数の通孔３３２を開設して内ストラップ６（背負い式のショルダーストラップ２本）の複数の端部を可撓性被覆体３（衣類本体）内から複数の通孔３３２に穿通して外部のバッグ１０と接合し、さらに、第１接合辺１３１と対応する第２接合辺３３１を相互に接合して前カバーシート１と可撓性被覆体３（衣類本体）を固定する。
内ストラップ６の上端部と下端部は可撓性被覆体３（衣類本体）に設けられた複数の通孔３３２にそれぞれ挿通された後、前カバーシート１の上縁及び下縁と連結され、使用者が可撓性被覆体３（衣類本体）を着用したときバッグ１０の重量を支持することができる。
【００３９】
また、前カバーシート１と後ろカバーシート２との間にカバー体７が設けられ、カバー体７の一側にバッグ１０と連結される連接側７１が設けられる。連接側７１はカバー体７の上縁に設けられ、前カバーシート１の上縁または第１接合辺１３１と相互に連接される。
カバー体７にはさらに被着部材７２が設置され、カバー体７を上から下に被せて被着部材７２によりバッグ１０の外囲に固定し、バッグ１０を雨から保護することができる。
【００４０】
後ろカバーシート２には外ストラップ１６が設けられる。
外ストラップ１６は背負うために用いる２本ストラップまたは１本ストラップ（図示しない）とすることができ、その上下両端が後ろカバーシート２の外側上方と下方にそれぞれ設けられ、使用者が可撓性被覆体３（衣類本体）を収納した状態で、後ろカバーシート２に設けた外ストラップ１６を使用して、バッグ１０と収納空間３０に収納された可撓性被覆体３（衣類本体） を携帯することができる。
外ストラップ１６は着脱式または固定式または固定結合式でバッグ１０と連接される（常用技術であるためここでは説明を省略する）。
【００４１】
前カバーシート１の外側には小収容部４が設けられ、これにより可撓性被覆体３（衣類本体）を収納する以外の付加的な物品の収容機能を提供する。小収容部４には、互いに着脱可能に係合する開閉部材４１と開閉相対部材４２が設けられ、使用者が随時開閉して小収容部４内の物品を便利に出し入れすることができる。
開閉部材４１と開閉相対部材４２は、スライドファスナー、面ファスナー、スナップボタン、マグネットボタンのいずれかとすることができる。小収容部４は、前カバーシート１の外側に設けることができるだけでなく、後ろカバーシート２の内側または外側（図示しない）にも小収容部４を設けることができ、その構造はほぼ同じであるため、ここでは説明を省略する。
【００４２】
図２５〜図３１に示すように、可撓性被覆体３（衣類本体）はバッグ１０の収納空間３０から取り出した後、使用者が着用することができる。
前カバーシート１は可撓性被覆体３（衣類本体）の背面中央付近の位置に固定され、且つ小収容部４は前カバーシート１の外側に設置され、使用者が物品を入れるために使用することができる。
可撓性被覆体３（衣類本体）の前面に左右両側の前身頃３３４が設けられ、前身頃３３４にさらに閉鎖部材３３３が設けられ、使用者は可撓性被覆体３（衣類本体）を身に着けた後、閉鎖部材３３３で左右両側の前身頃３３４を閉じ合わせることができる。
【００４３】
図２９と図３０に示すように、後ろカバーシート２は連結部１２を介して前カバーシート１と連結され、後ろカバーシート２を収納空間３０に収納する前は小収容部４の下方に位置する。後ろカバーシート２は、収納空間３０に収納すると、小収容部４の後方に隠れ、小収容部４と可撓性被覆体３（衣類本体）の間に介在される。
可撓性被覆体３（衣類本体）とカバー体７を使用しないときは、小収容部４を下に向け、図２６に示すように、後ろカバーシート２を開けて収納空間３０を露出させると、可撓性被覆体３（衣類本体）とカバー体７を折り畳んだ後収納空間３０に便利に収納することができる。
【００４４】
折り畳むときは、カバー体７を下に向かって折り畳み、可撓性被覆体３（衣類本体）を上から下に及び左右側辺を中央に向けて折り畳む。このときカバー体７と可撓性被覆体３（衣類本体）は、折り畳んだ後に矩形を成し、且つ前カバーシート１の大きさよりやや小さく、前カバーシート１の上方に位置し、収納空間３０内に収納して閉じ合わせ部材１１と閉じ合わせ相対部材２１を閉じ合わせることができる（図２５参照）。
収納空間３０を閉じ合わせた後、可撓性被覆体３（衣類本体）が収納空間３０内に収納され、使用者は小収容部４上方の開閉部材４１と開閉相対部材４２を使用して小収容部４を開き、物品を出し入れすることができる。
可撓性被覆体３（衣類本体）が収納された状態で、閉じ合わせ部材１１と閉じ合わせ相対部材２１によって可撓性被覆体３（衣類本体）と内ストラップ６が後ろカバーシート２と前カバーシート１の間の収納空間３０内に封鎖され、使用者は後ろカバーシート２上方に設置された外ストラップ１６（図２９〜図３１参照）を利用でき、且つ小収容部４の機能を後方のバッグ１０として使用することができる。
【００４５】
図３２及び図３３に、可撓性被覆体３（衣類本体）とバッグ１０を組み合わせた本考案の実施例４を示す。
バッグ１０は肩掛け式（通称ショルダーバッグ）であり、その構造及び含まれる部材は前述の背負い式のバッグ１０の実施例と同じであるが、主な違いはバッグ１０に１本のストラップを配した構造であり、バッグ１０が身体の横または前に配置されるため、その外ストラップ（図示しない）と内ストラップ６はいずれも１本のストラップがバッグ１０の左右両端に連結されている構造となっている点である。
【００４６】
可撓性被覆体３（衣類本体）を使用しないとき、収納方法は実施例３と同じであり、可撓性被覆体３（衣類本体）と内ストラップ６を折り畳んだ後に収納空間３０（図示しない）内に収納して閉じ合わせ部材１１と閉じ合わせ相対部材２１により閉じ合わせられる。  可撓性被覆体３（衣類本体）が収納された状態で、バッグ１０の物品収容機能を利用することができる。また、バッグ１０の両側にそれぞれループ１５が設けられると共に。両端がループ１５に着脱自在に掛止された外ストラップ１６（図示しない）が設置され、使用者が肩に掛けることができる。
【００４７】
図３４〜図４０に、可撓性被覆体３（衣類本体）とバッグ１０を組み合わせた実施例５を示す。
本実施例では、図３４に示すように、使用者の腰部に横方向に巻き付けて固定されるバッグ１０（通称ウエストバッグ）を用いる。バッグ１０の構造及び含まれる部材は、実施例４の肩掛け式のバッグ１０とほとんど同じであるが、主な違いは、バッグ１０の左右両側にそれぞれ外ストラップ１６の一端部が連結され、外ストラップ１６の他端部に設けられたオスバックル１６１とメスバックル１６２を相互に嵌合させて横方向に使用者の腰部に固定する点である。
【００４８】
本実施例において、バッグ１０の小収容部４の内部容積は、実施例３及び実施例４のバッグ１０より小さいため、内ストラップ６を追加設置して、使用者が可撓性被覆体３（衣類本体）を着用したときにバッグ本体１０の重量を支持する必要がない。
可撓性被覆体３（衣類本体）を使用しないときの収納方法は実施例３及び実施例４と同じであり、可撓性被覆体３（衣類本体）を折り畳んだ後収納空間３０（図示しない）内に収納し、閉じ合わせ部材１１と閉じ合わせ相対部材２１で閉じ合わせることができる。
可撓性被覆体３（衣類本体）を収納した状態で、バッグ１０の物品収容機能を使用することができる。可撓性被覆体３（衣類本体）が収納された状態で、バッグ１０両側の横方向に連結された外ストラップ１６を使用者の腰部に固定することができる。外ストラップ１６は着脱式または固定結合式でバッグ１０と連接される（常用技術であるためここでは説明を省略する）。
【００４９】
図３５〜図４０に示すように、前カバーシート１は可撓性被覆体３（衣類本体）のポケット３３５の表面に配置され、前カバーシート１周縁が可撓性被覆体３（衣類本体）外側に固定される。
また、前カバーシート１の表面に開閉部材４１と開閉相対部材４２が設けられ、且つ前カバーシート１の周縁より内側の範囲が可撓性被覆体３（衣類本体）表面を被覆して物品を入れることができる小収容部４を構成する。
【００５０】
後ろカバーシート２が可撓性被覆体３（衣類本体）表面で下垂して揺動しないよう、後ろカバーシート２にさらに固定部材２２を設け、可撓性被覆体３（衣類本体）の相対する一側に固定相対部材３２を設置し、固定部材２２と固定相対部材３２により後ろカバーシート２を可撓性被覆体３（衣類本体）表面に固定することができる（図３参照）。固定部材２２と固定相対部材３２はスライドファスナー、面ファスナー、スナップボタン、マグネットボタンのいずれか１つとすることができる。
【００５１】
本実施例の後ろカバーシート２は第２小収容部２０を備える。後ろカバーシート２と第２小収容部２０の収納方式は前述と同じである。
第２接合辺３３１と第１接合辺１３１は局部接合され、未接合箇所に収納口３０１（図６から図９参照）又は第１収納部１４（図１５から図１８参照）が形成される。収納口３０１または第１収納部１４により後ろカバーシート２を前カバーシート１と可撓性被覆体３（衣類本体）の間またはその中の収納空間３０内に入れることができ、且つ収納後の第２小収容部２０は可撓性被覆体３（衣類本体）のポケット３３５内に位置する。ポケット３３５はポケット層３３６を備え、且つ第２小収容部２０がポケット層３３６の上方に位置する（図４０参照）。ポケット３３５と第２小収容部２０が連通されており、使用者が可撓性被覆体３（衣類本体）を着用しているとき手をポケット３３５の袋口３３７に入れて、ポケット３３５内からバッグ１０(ウエストバッグ)の第２小収容部２０内に元々入れてあった物品（財布や携帯電話等の携帯物品）を便利に取り出すことができる。
【００５２】
後ろカバーシート２の閉じ合わせ相対部材２１の周縁にさらに側面周壁部１３が設けられ、側面周壁部１３の両側に外ストラップ１６が設置され、使用者が肩に掛けて使用することができ（図示しない）、また外ストラップ１６の両端部は着脱自在または固定接続方式で側面周壁部１３と連結することができる。
外ストラップ１６の一端を後ろカバーシート２の左右両側にそれぞれ連結し、且つ外ストラップ１６の他端に設けたオスバックル１６１、メスバックル１６２を相互に嵌合させて使用者の腰部に固定することができるようにしてもよい。
後ろカバーシート２の外面には第１挟み層２３が設けられ、且つ第１挟み層２３は左右両側の左開口部２３１、右開口部２３２を備え、使用者が可撓性被覆体３（衣類本体）を使用したいときは、外ストラップ１６を左開口部２３１、右開口部２３２から第１挟み層２３に入れることができる。
【００５３】
収納空間に入れた後ろカバーシート２が収納空間から収納口３０１の外に落ちることがないようにするため、後ろカバーシート２に少なくとも１つの固定部材２２を設け、可撓性被覆体３（衣類本体）の相対する一側に固定相対部材３２を設ける。固定相対部材３２は可撓性被覆体３（衣類本体）表面に設けられ、且つ前カバーシート１の後ろに位置し、固定部材２２と固定相対部材３２により後ろカバーシート２を前カバーシート１と可撓性被覆体３（衣類本体）の間またはその中の収納空間内に固定することができる。固定部材２２と固定相対部材３２は、スライドファスナー、面ファスナー、スナップボタン、マグネットボタンのいずれか１つとする。
さらに、前カバーシート１と後ろカバーシート２の間に介在する連結部１２に封鎖部材１２０を設け、収納口３０１に設けた封鎖相対部材３２０により収納口３０１を封鎖して、後ろカバーシート２が収納空間から収納口３０１の外に落下しないようにすることもできる。封鎖部材１２０と封鎖相対部材３２０はスライドファスナー、面ファスナー、スナップボタン、マグネットボタンのいずれか１つとする。  
【００５４】
図４１から図４４は、本考案の実施例６を示す。
本考案の収納構造体は、携帯電話ケースや財布に適用してもよく、本実施例は実施例５の構造とほぼ同じであり、後ろカバーシート２に第２収容部を設ける。第２接合辺３３１と第１接合辺１３１が局部接合方式を採用しているため、未接合箇所に収納口３０１（図６から図９参照）または第１収納部１４（図１５から図１８参照）が形成される。可撓性被覆体３（衣類本体）はより軽くて薄い材質及び簡単な裁断設計を採用して折りたたんだ後の体積を減少し、畳んで収納した後で携帯電話ケースや財布の大きさに近づけることができる。
【００５５】
収納口３０１または第１収納部１４により後ろカバーシート２を前カバーシート１と可撓性被覆体３（衣類本体）の間またはその中の収納空間３０内に入れ、且つ収納後の第２小収容部が可撓性被覆体３（衣類本体）の胸前ポケット内に位置し、ポケットと第２小収容部が連通されているため、使用者が可撓性被覆体３（衣類本体）を着用しているとき手をポケットの袋口３３７に入れてポケット内から元々バッグ１０（携帯電話ケースまたは財布）の第２小収容部内に入れられていた物品を便利に取り出すことができる。
図４３に示すように、後ろカバーシート２の両側には、さらにストラップベルト１６３とその先端に設けた調整部材１６４を設置してもよく、調整部材１６４によりストラップベルト１６３を適切な長さに調整して、可撓性被覆体３を折りたたんで収納したバッグ（携帯電話ケースまたは財布）を使用者の腕やズボンそのもののベルト上（図示しない）に固定し、便利に携帯するという目的を達することができる。
【００５６】
図４５及び図４６に示すように、収納構造体を帽子構造とした実施例７を示す。
実施例７の閉じ合わせ式可撓性被覆体収納構造体は、前カバーシート１、後ろカバーシート２、連結部１２、可撓性被覆体３を備える。
前カバーシート１の体積が後ろカバーシート２よりやや大きく、且つ両者がいずれも半円形で相互に対応する内凹カバー体であり、連結部１２を介して相互に連結され、前カバーシート１全体を後ろカバーシート２外部に被せることができ、且つ両者の間に収納空間３０が形成され、可撓性被覆体３（レインコート）を使用しないときは収納空間３０内に入れることができる。
【００５７】
前カバーシート１の辺縁に第１環状辺１１１が設けられ、第１環状辺１１１は閉じ合わせ部材１１を備えている。
後ろカバーシート２の辺縁には、前カバーシート１に設けた第１環状辺１１１と相互に対応する第２環状辺２１１が設けられる。第２環状辺２１１は、第１環状辺１１１に設けた閉じ合わせ部材１１と対応して着脱可能に係合する閉じ合わせ相対部材２１を有する。
連結部１２は、前カバーシート１と後ろカバーシート２の後ろ側下方の相対する位置に設置され、両者を連結する。連結部１２による連結方法は縫着またはその他の方法とすることができる。
【００５８】
そして、閉じ合わせ相対部材２１と閉じ合わせ部材１１の両者を相互に固定し、後ろカバーシート２を前カバーシート１内部に入れて閉じ合わせる。
前カバーシート１左右両側の使用者の耳に相対する位置に一対のオスベルト１１２とメスベルト１１３を設けてもよい。オスベルト１１２とメスベルト１１３の開放端にそれぞれオスバックル１１４とメスバックル１１５を設置し、オスバックル１１４とメスバックル１１５を相互に嵌合させることにより、この帽子構造を使用者の頭部に固定して滑落を防止することができる。
【００５９】
図４７〜図５２は、帽子構造とした実施例８を示す。
実施例７との違いは、前カバーシート１の後ろ側を使用者の頚部近くの位置まで延伸し、且つ前カバーシート１を延伸した底部の位置に下連結部２０３を設置すると共に、下カバーシート２００（図４９）を設けたことである。下連結部２０３と下カバーシート２００を連結することにより、下カバーシート２００が上から下に開かれ、収納空間３０内に入れられた可撓性被覆体３（レインコート）を容易に収納空間３０から取り出したり、再度入れたりすることができる。
【００６０】
前カバーシート１の下方と後ろカバーシート２の間に設置された連結部１２に、前カバーシート１と後ろカバーシート２の距離を延ばすための延伸ベルト１２２を追加設置してもよく、後ろカバーシート２を下に展開させて収納空間３０内に入れられた可撓性被覆体３（レインコート）を収納空間３０からより容易に取り出したり、再度入れたりすることができるようにする。
下カバーシート２００は辺縁に下環状辺２０１が設けられ、下環状辺２０１は下閉じ合わせ部材２０４を備えている。前カバーシート１の後ろ側辺縁に第３環状辺２０２が設けられ、下カバーシート２００に設けた下環状辺２０１と相互に対応している。第３環状辺２０２は下閉じ合わせ相対部材２０５を備え、下環状辺２０１に設けた下閉じ合わせ部材２０４に対応し、下閉じ合わせ部材２０４と下閉じ合わせ相対部材２０５により下カバーシート２００を位置決めし、且つ前カバーシート１内部後方に閉じ合わせることができる。
図４５と図４６に示すように、前カバーシート１左右両側の使用者の耳に相当する位置に一対のオスベルト１１２とメスベルト１１３及びオスバックル１１４とメスバックル１１５をそれぞれ設置してもよく、これにより前述の帽子構造を使用者の頭部に固定して滑落を防止することができる。
【００６１】
図５３〜図５５は、本考案の実施例９を示す。
本実施例は、可撓性被覆体３（衣類本体）とバッグ１０を結合した実施例の３とほぼ構造が同じであり、異なる点は、本実施例が可撓性被覆体３（衣類本体）を装着しようとする対象物（ペットを含む）の衣類（例えば犬用レインコートや保温用衣類等）に応用した構造であり、ただし、ペットのほか、本実施例の構造は人または各種動物に用いることもできる。
前カバーシート１の左右両側にオスバックル１６１とメスバックル１６２がそれぞれ連結され、着用時は、前カバーシート１が下、後ろカバーシート２が上になる方向で対象物（ペット）の体に合わせ、かつオスバックル１６１とメスバックル１６２を相互に固定して前カバーシート１、後ろカバーシート２を対象物（ペット）の体に装着して固定することができる。また、後ろカバーシート２の上方に第２小収容部２０を設け、使用者が第２小収容部２０に対象物（ペット）の身の回りの物品を入れることができるようにしてもよい。且つ、前カバーシート１と後ろカバーシート２の間に可撓性被覆体３（衣類本体）を連結し、使用者が可撓性被覆体３（衣類本体）で対象物（ペット）の体を覆うこともできる（図５３）。
【００６２】
前カバーシート１と後ろカバーシート２の前方に環状ベルト１６５、調整部材１６６、一組のオスベルトバックル１６７とメスベルトバックル１６８を設け、調整部材１６６により環状ベルト１６５の大きさを調整し、環状ベルト１６５を対象物（ペット）の前肢または頚部に装着して、オスベルトバックル１６７とメスベルトバックル１６８で環状ベルト１６５を固定することができる。
環状ベルト１６５の上方と前カバーシート１、後ろカバーシート２の辺縁の連結箇所に固定リング１６９を設置し、これにより使用者はフックリング１７０を備えたリード１７１を前記固定リング１６９に取り付け、リード１７１で対象物（ペット）を地面で歩かせることができる。
【００６３】
可撓性被覆体３（衣類本体）が収納状態にあるとき、収納口は前カバーシート１と可撓性被覆体３の間及び対象物（ペット）の体側面の位置に隠され（図５３の破線で示す）、可撓性被覆体３（衣類本体）を使用したいときは、閉じ合わせ部材１１と閉じ合わせ相対部材２１により後ろカバーシート２を開き、前カバーシート１と後ろカバーシート２の間に配置された可撓性被覆体３（衣類本体）を展開して対象物（ペット）の体の上を被覆し、同時に後ろカバーシート２を収納口３０１から入れて、後ろカバーシート２を前カバーシート１と可撓性被覆体３（衣類本体）の間の収納空間３０に収納することができる（図５４）。
さらに、可撓性被覆体３（衣類本体）の前身頃３３４を閉鎖部材３３３により閉じ合わせ、可撓性被覆体３（衣類本体）で対象物（ペット）の体と頭部を被覆して、雨や風を防ぐ効果を達することができる（図５５）。
【００６４】
図５６〜図５８は、本考案の実施例１０を示す。
本実施例の収納構造体は、可撓性被覆体３（バッグ）を対象物（ペットを含む）の収納に適用した構造であり、前カバーシート１、後ろカバーシート２、前カバーシート１周縁に設けた閉じ合わせ部材１１、後ろカバーシート２周縁に設けた閉じ合わせ相対部材２１、可撓性被覆体３（バッグ）を備える。
閉じ合わせ部材１１と閉じ合わせ相対部材２１の開閉方向は対象物（ペット）頭部の位置に合わせることができ、延伸部１３２により可撓性被覆体３（バッグ）を折りたたんだ後前カバーシート１、後ろカバーシート２の間に収納することができる。後ろカバーシート１左右両側にオスバックル１６１とメスバックル１６２がそれぞれ連結される。
【００６５】
着用時は、後ろカバーシート２が下、前カバーシート１が上の方向で対象物（ペット）の体に合わせ、オスバックル１６１とメスバックル１６２を相互に固定して前カバーシート１、後ろカバーシート２を対象物（ペット）の体に装着して固定することができる。また、前カバーシート１上方に小収容部４を設け、使用者が小収容部４に対象物（ペット）の身の回りの物品を入れることができるようにしてもよい。
使用時は、閉じ合わせ部材１１と閉じ合わせ相対部材２１により前カバーシート１を開き、前カバーシート１を開いて且つ可撓性被覆体３（バッグ）を展開した後、直接前カバーシート１を閉じ合わせ部材１１と閉じ合わせ相対部材２１により局部的に閉じることができる（本実施例は収納口３０１と後ろカバーシート２の間の挟み層を追加設置してもよく、これにより開いた後の前カバーシート１を収納口３０１からこの挟み層に入れることができる。図５７参照）。
【００６６】
可撓性被覆体３（バッグ）を展開した後、その開口部４０をペットの下方に合わせ、下から上に対象物（ペット）を開口部４０から可撓性被覆体３（バッグ）内に入れ、ハンドル３１により対象物（ペット）を入れた可撓性被覆体３（バッグ）を手に提げて、または肩に掛けて携帯することができる。
また、可撓性被覆体３（バッグ）の開口部４０の前側をカットした凹口状に設け、対象物（ペット）の頭部をこの凹口状の開口部４０から可撓性被覆体３（バッグ）の外に露出させてもよい。
【００６７】
前の実施例と同じように、本実施例の収納構造体前方に環状ベルト１６５を設け、その上方と前カバーシート１、後ろカバーシート２前方の連結箇所に固定リング１６９を設置し、これにより使用者がフックリング１７０を備えたリード１７１を前記固定リング１６９に取り付けることができる。使用者は可撓性被覆体３（バッグ）を前カバーシート１、後ろカバーシート２の間に収納し、リード１７１を使用して対象物（ペット）を地面上で歩かせたり、前カバーシート１を開いて、対象物（ペット）を展開後の可撓性被覆体３（バッグ）内に入れ、ハンドル３１を利用して対象物（ペット）を入れた可撓性被覆体３（バッグ）を手に提げたり、肩に掛けたりすることを選択することができる。
【００６８】
前述の各実施例で述べた前カバーシート１の外側及び可撓性被覆体３（バッグ）の外側には相互に対応する模様や図案を配したデザインとして、その美観を向上したり、相互に対応させて異なる視覚的効果を形成したりすることができる。
小収容部４を単独で使用するときは、前カバーシート１と小収容部４に局部的な図案または模様のデザインが表現される。可撓性被覆体３（バッグ）を展開した状態下では、前カバーシート１と小収容部４は可撓性被覆体３（バッグ）と相互に対応した図案または模様のデザインを表現し、その美観を向上したり、相互に対応させて異なる視覚的効果を形成したりすることができる（図示しない）。
【００６９】
上述をまとめると、本考案は前述の各種実施例のほか、その他各種異なる機能のバッグ構造に運用することも可能である。
以上の説明は本考案を限定するものではなく、当業者であれば実用新案登録請求の範囲で限定される要旨と範囲内で同等の効果を持つ多くの修正や変更が可能であることが理解されるが、それらはすべて本考案の権利範囲内に含まれる。
【符号の説明】
【００７０】
１        前カバーシート
１０      バッグ
１１      閉じ合わせ部材
１１０    第１引手
１１１    第１環状辺
１１２    オスベルト
１１３    メスベルト
１１４    オスバックル
１１５    メスバックル
１２      連結部
１２０    封鎖部材
１２２    延伸ベルト
１３      側面周壁部
１３１    第１接合辺
１３２    延伸部
１４      第１収納部
１５      ループ
１６      外ストラップ
１６１    オスバックル
１６２    メスバックル
１６３    ストラップベルト
１６４    調整部材
１６５    環状ベルト
１６６    調整部材
１６７    オスベルトバックル
１６８    メスベルトバックル
１６９    固定リング
１７      ショルダーストラップ
１７０    フックリング
１７１    リード
１８      ハンガー
２        後ろカバーシート
２０      第２小収容部
２００    下カバーシート
２０１    下環状辺
２０２    第３環状辺
２０３    下連結部
２０４    下閉じ合わせ部材
２０５    下閉じ合わせ相対部材
２１      閉じ合わせ相対部材
２１０    第２引手
２１１    第２環状辺
２２      固定部材
２３      第１挟み層
２３１    左開口部
２３２    右開口部
２２１    位置決め部
３        可撓性被覆体
３０      収納空間
３００    フラップ
３０１    収納口
３０２    固定端
３０３    開放端
３０４    オス留め具
３０５    メス留め具
３１      ハンドル
３１０    二股部
３１１    空隙
３２      固定相対部材
３２０    封鎖相対部材
３２１    第１位置決め部材
３２２    第２位置決め部材
３３      接合部
３３１    第２接合辺
３３２    通孔
３３３    閉鎖部材
３３４    前身頃
３３５    ポケット
３３６    ポケット層
３３７    袋口
３４      連通口
３５      第２収納部
３７      下凹陥部
３８      表シート
３９      裏シート
４        小収容部
４０      開口部
４１      開閉部材
４２      開閉相対部材
１６      外ストラップ
６        内ストラップ
７        カバー体
７１      接合側
７２      被着部材
【図１】
0003169606.tif 000003
【図２】
0003169606.tif 000004
【図３】
0003169606.tif 000005
【図４】
0003169606.tif 000006
【図５】
0003169606.tif 000007
【図６】
0003169606.tif 000008
【図７】
0003169606.tif 000009
【図８】
0003169606.tif 000010
【図９】
0003169606.tif 000011
【図１０】
0003169606.tif 000012
【図１１】
0003169606.tif 000013
【図１２】
0003169606.tif 000014
【図１３】
0003169606.tif 000015
【図１４】
0003169606.tif 000016
【図１５】
0003169606.tif 000017
【図１６】
0003169606.tif 000018
【図１７】
0003169606.tif 000019
【図１８】
0003169606.tif 000020
【図１９】
0003169606.tif 000021
【図２０】
0003169606.tif 000022
【図２１】
0003169606.tif 000023
【図２２】
0003169606.tif 000024
【図２３】
0003169606.tif 000025
【図２４】
0003169606.tif 000026
【図２５】
0003169606.tif 000027
【図２６】
0003169606.tif 000028
【図２７】
0003169606.tif 000029
【図２８】
0003169606.tif 000030
【図２９】
0003169606.tif 000031
【図３０】
0003169606.tif 000032
【図３１】
0003169606.tif 000033
【図３２】
0003169606.tif 000034
【図３３】
0003169606.tif 000035
【図３４】
0003169606.tif 000036
【図３５】
0003169606.tif 000037
【図３６】
0003169606.tif 000038
【図３７】
0003169606.tif 000039
【図３８】
0003169606.tif 000040
【図３９】
0003169606.tif 000041
【図４０】
0003169606.tif 000042
【図４１】
0003169606.tif 000043
【図４２】
0003169606.tif 000044
【図４３】
0003169606.tif 000045
【図４４】
0003169606.tif 000046
【図４５】
0003169606.tif 000047
【図４６】
0003169606.tif 000048
【図４７】
0003169606.tif 000049
【図４８】
0003169606.tif 000050
【図４９】
0003169606.tif 000051
【図５０】
0003169606.tif 000052
【図５１】
0003169606.tif 000053
【図５２】
0003169606.tif 000054
【図５３】
0003169606.tif 000055
【図５４】
0003169606.tif 000056
【図５５】
0003169606.tif 000057
【図５６】
0003169606.tif 000058
【図５７】
0003169606.tif 000059
【図５８】
0003169606.tif 000060